(57)【特許請求の範囲】
【請求項１】
一端部が通信装置に取り付けられ、他端部が前記通信装置の外部に設けられ、前記一端部と前記他端部との間に屈曲部が形成され、かつ前記一端部と前記屈曲部との間に凹部が形成されたＬ字形のアンテナと、
前記アンテナを回動可能に保持する保持部と、
前記凹部に一端部を係合する弾性片と、
前記弾性片の他端部を前記通信装置に固定する固定部材と
を備えたことを特徴とするアンテナ装置。
【請求項２】
前記凹部は、前記アンテナの回動を抑止する抑止面を備えたことを特徴とする請求項１記載のアンテナ装置。
【請求項３】
前記凹部は、前記抑止面を複数形成したことを特徴とする請求項２記載のアンテナ装置。
【請求項４】
前記凹部は、円弧状に形成した摺接面を備えたことを特徴とする請求項１から３のいずれかに記載のアンテナ装置。
【発明の詳細な説明】
【０００１】
【発明の属する技術分野】
本発明は、アンテナ装置に関し、詳しくは、アンテナ装置を簡易な構成により機能位置や収納位置に快適に回動させ停止させることができるものに関する。
【０００２】
【従来の技術】
従来より、各種通信装置に取り付けられるアンテナ装置は、通信装置の側面に隣接して沿うように取り付けられる場合、未使用時にはアンテナを通信装置の側面側に収納して損傷してしまうことを防止する一方、使用時にはアンテナを回動させて通信装置の上面よりも上方に露出させて感度よく電波を送受信することができるように設計されているものがある。
【０００３】
この種のアンテナ装置は、通信装置に隣接させる位置で回動させすることができるように屈曲させたアンテナの基部側を、通信装置のハウジングに開口する取付穴内に挿通した後に、アンテナを回動させる際の操作トルクを発生させるためにウェーブワッシャーと樹脂ワッシャーを挟み込むようにスプリングワッシャーとＥリングをそのアンテナの基部に圧入して、アンテナを通信装置に取り付けている。
【０００４】
【発明が解決しようとする課題】
しかしながら、このような従来のアンテナ装置にあっては、通信装置にアンテナを回動可能にするために取り付ける部品点数が多いことから、組立作業に時間が掛かり、また、Ｅリングを抑えながらの圧入作業が要求されるために組立作業に熟練が要求されるという問題があった。
【０００５】
本発明は、このような問題を解決するためになされたもので、アンテナを簡易な構成で通信装置に取り付けることができるアンテナ装置を提供するものである。
【０００６】
【課題を解決するための手段】
本発明のアンテナ装置は、一端部が通信装置に取り付けられ、他端部が通信装置の外部に設けられ、一端部と他端部との間に屈曲部が形成され、かつ一端部と屈曲部との間に凹部が形成されたＬ字形のアンテナと、アンテナを回動可能に保持する保持部と、凹部に一端部を係合する弾性片と、弾性片の他端部を通信装置に固定する固定部材とを備えたものである。
【０００７】
この構成により、アンテナの凹部に弾性片の一端部を係合し、弾性片の他端部を通信装置に固定するため、アンテナを簡易な構成で通信装置に取り付けることができるという作用を有する。
【０００８】
また、本発明のアンテナ装置の凹部は、アンテナの回動を抑止する抑止面を備えたものである。この構成により、抑止面の設定によって、アンテナを最適な機能位置など所望の位置に回動させ固定することができる。
【０００９】
また、本発明のアンテナ装置の凹部は、抑止面を複数形成したものである。この構成により、機能位置または収納位置などの複数の回動位置で停止することができるという作用を有する。
【００１０】
また、本発明のアンテナ装置の凹部は、円弧状に形成した摺接面を備えたものである。この構成により、アンテナを収納位置、または最適な機能位置のどちらでもない位置などに停止することを防ぐことができるとともに、収納位置または最適な機能位置などにクリック感を感じ、停止することができるという作用を有する。
【００１１】
【発明の実施の形態】
以下、本発明を図面に基づいて説明する。図１〜図６は本発明に係るアンテナ装置の一実施形態を示す図である。
【００１２】
図１において、通信装置１０は、電波を送受信するためのアンテナ装置１１を備えており、このアンテナ装置１１は、樹脂内にアンテナとして機能する芯線１２が内蔵されるようにインサート成形したＬ字形状のアンテナ１３を備えて、このアンテナ１３を回動可能に通信装置１０のハウジング１４内に形成された保持部１５に保持させて構成されている。
【００１３】
アンテナ１３は、図２および図３にも示すように、長尺に形成されて回動させる先端（他端部）２１側と、短尺に形成されて保持部１５に保持される基部（一端部）２２側との間の挟角が直角になるように屈曲されており、長尺の先端２１側が通信装置１０の側面に沿うように隣接しつつ回動することができるように、短尺の基部２２側の屈曲部２３と端部２４との間が保持部１５に回転可能に保持されている。
【００１４】
このアンテナ１３の基部２２は、屈曲部２３および端部２４の内方が段差部（凹部）２５になるように小径の円弧形状となる円弧面（摺接面）２６を形成されていると共に、その段差部２５には円弧面２６の一部を切り欠いて互いの延長面が、例えば、交叉するように形成された平面形状の平面（抑止面）２７が設けられている。
【００１５】
保持部１５は、図４および図５にも示すように、通信装置１０のハウジング１４の内面に半円弧形状に形成されて屈曲部２３および端部２４の外周面を摺動回転可能に受け止めることによりアンテナ１３の基部２２を回転可能に支持する受け部３１と、板形状に形成されて一端側をアンテナ１３の基部２２の段差部２５内に押し付けるように他端側を通信装置１０のハウジング１４にネジ（固定部材）３２でネジ止めされた弾性変形可能な弾性片３３とにより構成されている。
【００１６】
このため、アンテナ装置１１は、アンテナ１３の基部２２を通信装置１０のハウジング１４に開口する取付穴内に差し込んで段差部２５内に弾性片３３を押し付けつつネジ３２でネジ止めするだけで組み立てることができ、このとき、アンテナ１３は、屈曲部２３と端部２４の外周面（段差部２５の円弧面２６を含めても良い）が弾性片３３によりハウジング１４に形成した受け部３１に押し付けられるとともに、その段差部２５内には弾性片３３が位置して基部２２が軸方向（延在方向）に移動してしまうことが制限されて組立状態が維持される。なお、端部２４の端面は通信装置１０のハウジング１４により押さえられてそれ以上移動することが制限されている。
【００１７】
この状態では、アンテナ１３は、基部２２側を受け部３１と弾性片３３との間に挟持されつつ、図６（ａ）に示すように、その弾性片３３が大きく弾性変形されていない状態で段差部２５内の平面２７に面接触するときには、基部２２が回転することを抑止されて先端２１側が通信装置１０の側面に隣接して隠れる収納位置に停止させることができ、また、図６（ｂ）に示すように、弾性片３３を大きく弾性変形させて段差部２５内の円弧面２６に摺接するように先端２１側を開放方向に回動させた後に、図６（ｃ）に示すように、その弾性片３３が再度弾性復帰して段差部２５内の反対側の平面２７に面接触したときには、基部２２が回転することを抑止されて先端２１側がアンテナ装置１１として機能する位置に停止させることができる。
【００１８】
なお、弾性片３３は、アンテナ１３の段差部２５内を押圧する方向に曲げられて弾性力を強められているとともに、その状態で取り付けることができるように、通信装置１０のハウジング１４に立設する不図示のリブが位置するようにネジ止めされる側の片側が切り欠かれている。
【００１９】
このように本実施形態においては、アンテナ装置１１は、アンテナ１３、ネジ３２および弾性片３３という少ない部品で、また、ネジ止めするだけの熟練を必要としない簡単な作業で通信装置１０に短時間に取り付けることができる。
【００２０】
また、アンテナ１３は、段差部２５を含めて自己潤滑性樹脂で成形しているので、先端２１側をスムーズに回動させることができ、この先端２１側を回動させたときには、弾性片３３が段差部２５内の平面２７を弾性力により圧接・抑止して基部２２の回転を停止させるので、小さなスペース内に構成する簡易な構造で、クリック感を持たせつつ先端２１側を収納位置と機能位置に停止させることができる。
【００２１】
なお、本実施形態では、アンテナ１３を収納位置と機能位置とに停止させるようにしているが、アンテナ１３の抑止面を構成する平面２７は、２面に限らず、３面以上、例えば、図６（ｂ）に示す位置でも回動を停止するように形成してもよく、また、逆に、例えば、収納位置または機能位置のいずれか一方のみに停止させることができるように、１面のみとしてもよいことはいうまでもない。また、抑止面に凹部、弾性片に３３に凸部を設けて回動を停止させるようにしてもよい。
【００２２】
【発明の効果】
以上説明したように、本発明は、アンテナの凹部に弾性片の一端部を係合し、弾性片の他端部を通信装置に固定するだけで、アンテナを通信装置に取り付けることができる。したがって、アンテナを簡易な構成で通信装置に取り付けることができる、という優れた効果を有するアンテナ装置を提供することができる。
【図面の簡単な説明】
【図１】本発明に係るアンテナ装置の一実施形態の概略全体構成を示す透視図
【図２】（ａ）本発明に係るアンテナ装置の一実施形態の要部構成を示す平面図
（ｂ）本発明に係るアンテナ装置の一実施形態の要部構成を示すＡ−Ａ断面図
【図３】本発明に係るアンテナ装置の一実施形態の要部構成を示す断面拡大図
【図４】本発明に係るアンテナ装置の一実施形態の要部構成を示すＢ−Ｂ断面図
【図５】（ａ）本発明に係るアンテナ装置の一実施形態の要部構成を示す平面図
（ｂ）本発明に係るアンテナ装置の一実施形態の要部構成を示すＣ−Ｃ断面図
【図６】（ａ）本発明に係るアンテナ装置の一実施形態の動作を説明する状態図
（ｂ）本発明に係るアンテナ装置の一実施形態の動作を説明する状態図
（ｃ）本発明に係るアンテナ装置の一実施形態の動作を説明する状態図
【符号の説明】
１０ 通信装置
１１ アンテナ装置
１３ アンテナ
１４ ハウジング
１５ 保持部
２１ 先端
２２ 基部
２３ 屈曲部
２４ 端部
２５ 段差部
２６ 円弧面
２７ 平面
３２ ネジ
３３ 弾性片
【図１】
0004589577.tif 000002
【図２】
0004589577.tif 000003
【図３】
0004589577.tif 000004
【図４】
0004589577.tif 000005
【図５】
0004589577.tif 000006
【図６】
0004589577.tif 000007